(57)【特許請求の範囲】
【請求項１】
所定の区域内の所定の場所の雰囲気に関する物理量を検出し、対応する第一の信号を発生する１以上の物理量測定装置と、
この物理量測定装置に接続することができ、接続されたとき前記第一の信号を受信しかつ記憶することができる、移動可能な情報収集手段と、
この情報収集手段に接続することができ、接続されたとき前記情報収集手段に記憶された前記第一の信号を受信し、必要に応じて表示できる物理量管理装置から成る、前記区域内の雰囲気を管理するシステムにおいて、
前記情報収集手段及び前記物理量管理装置は、前記情報収集手段に記憶された前記第一の信号が、前記物理量管理装置に受信された後には次の情報収集前に消去されるように構成され、
前記物理量管理装置は、前記情報収集手段から受信した前記第一の信号を記憶するメモリと、前記メモリに記憶された第一の信号、および前記情報収集手段に対して前記第一の信号を再び要求して受信される第二の信号を比較する手段とを具え、
前記物理量管理装置は、前記第一の信号と前記第二の信号が一致した場合に、前記情報収集手段に記憶された前記第一の信号を消去する命令信号を、前記情報収集手段に送るように構成されていることを特徴とする雰囲気管理システム。
【請求項２】
前記所定の区域が貯蔵庫であり、前記物理量が湿度、温度、風速、気圧、ガス濃度の少なくとも一つを含む、請求項１記載の雰囲気管理システム。
【請求項３】
前記物理量測定装置が、前記所定の場所の前記物理量を検出してアナログ信号を発生するセンサと、前記アナログ信号をディジタル信号に変換するＡ／Ｄ変換手段とから成る、請求項１記載の雰囲気管理システム。
【請求項４】
前記物理量測定装置が、時刻信号を発生する時刻信号発生手段と、前記ディジタル信号および前記時刻信号を記憶する記録手段とを具え、
この記録手段に前記ディジタル信号と、対応する時刻の前記時刻信号とを記憶する、請求項３記載の雰囲気管理システム。
【請求項５】
前記物理量管理装置は、前記情報収集手段に記憶された前記第一の信号が前記物理量管理装置に受信され前記メモリに記憶された場合に限り、前記情報収集手段に記憶された前記第一の信号が消去されるように、前記情報収集手段及び前記物理量管理装置が構成されている、請求項１記載の雰囲気管理システム。
【発明の詳細な説明】
【０００１】
【発明の属する技術分野】
本発明は雰囲気管理システムに関し、特に冷蔵庫、冷凍庫等の貯蔵庫の中の温度、湿度等の異常の有無を、管理センター等遠隔の場所で管理できる、貯蔵庫等の雰囲気管理システムに関する。
【０００２】
【従来の技術】
近年、冷蔵庫、冷凍庫等の貯蔵庫の中の温度や湿度の異常の有無を、管理センター等遠隔の場所で管理するための、雰囲気管理システムがいろいろ工夫されている。
【０００３】
図７は、従来の温度管理システムを示す。この温度管理システムは、４台の冷蔵ショーケースＳ１、１台のアイスクリームストッカーＳ２、１台のウォークイン冷蔵庫Ｓ３、１台の棚式冷蔵庫Ｓ４から成る、スーパーマーケット、ディスカウントショップ等の貯蔵庫群を管理するためのシステムであり、管理端末６１と、各貯蔵庫内および室内の温度を測定する８個の温度測定器６２と、携帯端末６３から成る。温度測定器６２はそれぞれ出力端子６２ｂを有する。携帯端末６３は入力端子６３ａおよび出力端子６３ｂを有し、それぞれ必要に応じて温度測定器６２の出力端子６２ｂおよび管理端末６１に接続することができる。温度測定器６２から温度データを収集する際には入力端子６３ａを温度測定器６２の出力端子６２ｂに、収集した情報を管理端末６１に回収する際には出力端子６３ｂを管理端末６１に接続する。
【０００４】
図８は、温度測定器６２の構成を示す。温度測定器６２は、温度センサ７１、Ａ／Ｄ変換器７２、制御部７３、制御部７３に接続されたキーボード７４、メモリ７５（識別信号も発生する）と、電源７６で構成される。温度センサ７１はＡ／Ｄ変換器７２を介して制御部７３に接続されている。制御部７３は出力端子６２ｂに接続されている。出力端子６２ｂは、必要に応じて（温度データを携帯端末６３に収集する際）携帯端末６３の入力端子６３ａに接続される。温度測定及び温度警報発生の条件は、キーボード７４からの入力により設定される。
【０００５】
図９は、携帯端末６３の構成を示す。携帯端末６３は、中央演算装置（ＣＰＵ）８１、メモリ８２、入出力バス（Ｉ／Ｏ）８３、８４、８６、８８、表示器８５、キーボード８７、入力端子６３ａ、出力端子６３ｂを具える。入力端子６３ａは温度測定器６２に、出力端子６３ｂは管理端末６１に、それぞれ接続するための端子である。入出力バス８３は表示器８５に、入出力バス８６はキーボード８７に、それぞれ接続される。入出力バス８４は入力端子６３ａに接続されており、必要に応じて温度測定器６２の信号出力端子６２ｂに接続される。入出力バス８８は出力端子６３ｂに接続されており、必要に応じて管理端末６１に接続することができる。
【０００６】
図１０は、管理端末６１の構成を示す。管理端末６１は中央演算装置（ＣＰＵ）９１、メモリ９２、入出力バス（Ｉ／Ｏ）９３、同９４、表示器９５、スイッチボード９６を具える。入出力バス９３は入力端子６１ａに、入出力バス９４は表示器９５及びスイッチボード９６に、それぞれ接続されている。入力端子６１ａには、必要に応じて携帯端末６３の出力端子６３ｂを接続することができる。
【０００７】
上記のような従来の雰囲気管理システムにおいて、貯蔵庫に設けられた個々の測定器の測定、警報発生等の条件は、測定器に設けられたキーボードからの入力により設定される。設定条件を変更するには、キーボードからの入力により、従来の条件を消去し、新たな設定条件を入力して、条件を更新する。
【０００８】
【発明が解決しようとする課題】
しかし、従来のこのようなシステムでは、各測定器の測定、警報発生等の設定条件を変更するには、全ての測定器のキーボードをそれぞれ操作する必要があり、手間および時間を要する。
【０００９】
また、携帯端末のような情報収集手段に蓄積される測定データの情報量は、情報収集手段の使用を続けるにつれ、増加し続ける。内蔵メモリに記憶される情報量がメモリ容量一杯になると、それ以上のデータ収集は不可能になる。携帯端末の使用を続けるためには、この時点で記憶データの少なくとも一部を消去する必要が生じ、メモリ消去のために時間と手間がかかる。測定器における測定頻度や測定時間を大きくするほど、情報収集手段に蓄積すべき測定データは増大するから、内蔵メモリの容量を大きくすることが必要になり、その結果携帯端末等が大型になるばかりでなく、設備コストも増大する。
【００１０】
従って、本発明の目的は、貯蔵庫等の温度等の雰囲気を管理するシステムにおいて、温度等の測定器の測定、データ蓄積、警報発生等の設定条件を、手間をかけないで簡易に変更することができる雰囲気管理システムを実現することにある。
【００１１】
また本発明の目的は、貯蔵庫等の温度等の雰囲気を管理するシステムにおいて、情報収集手段の内蔵メモリに蓄積される情報量を常に小さく抑えて、小さいメモリ容量でも長時間あるいは高い頻度の測定に伴う情報量の増大に対応できるようにし、情報収集手段の大型化とコストの増大を回避した、雰囲気管理システムを実現することにある。
【００１２】
【課題を解決するための手段】
本発明の雰囲気管理システムは、上記目的を達成するため、所定の区域内の所定の場所の雰囲気に関する物理量を検出し、対応する第一の信号を発生する１以上の物理量測定装置と、この物理量測定装置に接続することができ、接続されたとき第一の信号を受信しかつ記憶することができる、移動可能な情報収集手段と、この情報収集手段に接続することができ、接続されたとき情報収集手段に記憶された第一の信号を受信し、必要に応じて表示できる物理量管理装置から成る、区域内の雰囲気を管理するシステムにおいて、情報収集手段及び物理量管理装置は、情報収集手段に記憶された第一の信号が、物理量管理装置に受信された後には次の情報収集前に消去されるように構成され、物理量管理装置は、情報収集手段から受信した第一の信号を記憶するメモリと、メモリに記憶された第一の信号、および情報収集手段に対して第一の信号を再び要求して受信される第二の信号を比較する手段とを具え、物理量管理装置は、第一の信号と第二の信号が一致した場合に、情報収集手段に記憶された第一の信号を消去する命令信号を、情報収集手段に送るように構成されていることを特徴とする。
【００１４】
本発明の雰囲気管理システムは、測定装置に接続される情報収集手段が、測定装置に対して制御信号を発生することができるように構成されているので、測定装置に情報収集手段を接続して測定データの収集を行なう際に、測定装置の測定条件、警報発生条件等の設定変更を同時に行なうことができ、設定変更のために全ての測定装置のキーボードを個別に操作する手間を省くことができる。
【００１５】
本発明の雰囲気管理システムは、情報収集手段に記憶された信号が、物理量管理装置に受信された後に次の情報収集前に消去されるように、情報収集手段を構成したので、情報収集手段から物理量管理装置にデータ回収を行なう都度、記憶したデータを消去できるから、測定データの記憶は次のデータ回収までの間だけでよく、小さいメモリ容量で足りる。
【００１６】
測定装置は、センサ及びＡ／Ｄ変換手段とともに、時刻信号発生手段及び記録手段を具え、記録手段にセンサからの信号を、それが検出された時刻の時刻信号と対応して記憶させてもよい。
【００１７】
本発明は、貯蔵庫内の温度や湿度についてだけでなく、風速、圧力、特定のガスの濃度についての雰囲気管理にも、用いることができる。
【００１８】
物理量管理装置にメモリを設け、情報収集手段に記憶された信号が物理量管理装置に受信され、このメモリに記憶された場合に限り、携帯端末等の情報収集手段に記憶された信号が消去されるように、情報収集手段と物理量管理装置を構成してもよい。
【００１９】
本発明の雰囲気管理システムは、物理量管理装置にメモリのほか更に、情報収集手段から受信されメモリに記憶された第一の信号と、情報収集手段から物理量管理装置に再び受信される第二の信号とを比較する手段を具え、この第一の信号と第二の信号が一致し、物理量管理装置に記憶された場合に限り、情報収集手段に記憶された信号を消去する命令信号を物理量管理装置から情報収集手段に送るように構成してもよい。
【００２０】
【発明の実施の形態】
以下に、図面を参照しつつ本発明の実施の好ましい形態を説明する。
【００２１】
図１は、本発明による温度管理システムを示す。この温度管理システムは４台の冷蔵ショーケースＳ１、１台のチェスト型冷凍ストッカーＳ２、１台のウォークイン冷蔵庫Ｓ３、１台の棚式冷蔵庫Ｓ４から成る、スーパーマーケットやディスカウントショップの貯蔵庫群を管理するためのシステムであり、管理端末１と、各貯蔵庫内及び店内の温度を測定する８個の温度測定器２と、携帯端末３から成る。携帯端末３は、温度信号入力端子３ａを必要に応じて温度測定器２に、温度信号出力端子３ｂを必要に応じて管理端末１に、それぞれ接続できる。この温度管理システムの構成は基本的に図７に示したものと同じである。携帯端末３の温度信号出力端子３ｂは、携帯端末３を管理端末１に接続したとき、管理端末１からの命令信号の入力端子も兼ねる。この点で本発明の温度管理システムの構成は、図７に示したものと異なる。
【００２２】
図２は、管理端末１の構成を示す。管理端末１は中央演算装置（ＣＰＵ）１１、メモリ１２、入出力バス（Ｉ／Ｏ）１３、１４、１６、表示器１５、およびキーボード１７を具える。入出力バス１３は表示器１５に、入出力バス１６はキーボード１７に、それぞれ接続され、入出力バス１４は入出力端子１ａに接続されており、必要に応じて携帯端末３に接続される。
【００２３】
図３は、温度測定器２の構成を示す。温度測定器２は、温度センサ２１、Ａ／Ｄ変換器２２、制御部２３、メモリ２４、及び電源２６で構成される。温度センサ２１はＡ／Ｄ変換器２２を介して制御部２３に接続され、制御部２３は温度信号出力端子２ｂに接続されている。温度信号出力端子２ｂには、必要に応じて携帯端末３の温度信号入力端子３ａが接続される。温度信号出力端子２ｂは、携帯端末３からの命令信号の入力端子も兼ねる。メモリ２４に記憶されるデータには個々の測定器の識別記号を含む。さらにメモリ２４には、温度センサ２１の測定頻度、測定時間、警報発生条件（例えば温度上限、温度下限）等も記憶され、これらに基づいて制御部２３が温度測定器の動作を制御する。
【００２４】
図４は、携帯端末３の構成を示す。携帯端末３は中央演算装置（ＣＰＵ）３１、メモリ３２、入出力バス（Ｉ／Ｏ）３３、３４、３６、３８、表示器３５、及びキーボード３７を具える。入出力バス３３は表示器３５に、入出力バス３６はキーボード３７に、それぞれ接続される。入出力バス３４は温度信号入力端子３ａに接続されており、必要に応じて温度測定装置２の温度信号出力端子２ｂに接続される。入出力バス３８は温度信号出力端子３ｂに接続されており、必要に応じて管理端末１（入出力端子１ａ）に接続される。
【００２５】
温度測定器２において温度センサ２１からの温度信号は、Ａ／Ｄ変換器２２でＡ／Ｄ変換されて制御部２３に送られ、メモリ２４に記憶される。携帯端末３を温度測定器２に（温度信号入力端子３ａと温度信号出力端子２ｂ）接続すると、メモリ２４に記憶された温度データは、制御部２３を介して携帯端末３に送られる。
【００２６】
携帯端末３において、温度測定器２から送られた温度データはメモリ３２に記憶される。携帯端末３を管理端末１に（温度信号出力端子３ｂと入出力端子１ａを）接続すると、メモリ３２に記憶された温度データは入出力バス３８を経て管理端末１に送られる。
【００２７】
温度測定器２から携帯端末３で収集されて管理端末１に受信（転送）された温度データは、メモリ１２に記憶されると共に、常時又は必要に応じ、入出力バス１３を介して表示器１５に表示される。この表示により管理担当者は、冷蔵室等の温度が正常か異常かを判断し、異常なら対策に着手する。
【００２８】
管理端末１に転送された温度データがメモリ１２に記憶されたことを、表示器１５の表示により確認したら、携帯端末３のメモリ３２に記憶されていた温度  データを消去するよう、命令信号をキーボード１７からＣＰＵ１１に入力する。消去信号はＣＰＵ１１から入出力バス１４を経て携帯端末３のＣＰＵ３１に送られ、メモリ３２に記憶されていた温度データは消去される。
【００２９】
温度センサ２１の測定頻度、警報発生条件等の設定を変更したいときは、管理端末１のキーボード１７から、それらの設定を変更する信号を入力する。この信号はメモリ１２に記憶される。温度データ回収のため携帯端末３を管理端末１に（温度信号出力端子３ｂと入出力端子１ａを）接続すると、メモリ１２に記憶された設定信号は入出力バス１４を経て入出力端子１ａに送られる。携帯端末３の温度信号出力端子３ｂは命令信号（温度測定器２の設定信号）の入力端子も兼ねるので、入出力端子１ａからの設定信号は携帯端末３に伝送される。
【００３０】
携帯端末３に伝送された温度測定器２の設定信号はメモリ３２に記憶される。温度データ収集のため携帯端末３を温度測定器２に（温度信号入力端子３ａと温度信号出力端子２ｂ）接続すると、メモリ３２に記憶された設定信号は入出力バス３４を経て温度信号入力端子３ａに送られる。温度測定器２の温度信号出力端子２ｂは設定信号の入力端子も兼ねるので、携帯端末３の温度信号入力端子３ａからの設定信号は温度測定器２に伝送される。
【００３１】
携帯端末３から伝送された設定信号は、温度測定器２において制御部２３の入力となり、この設定信号によって温度センサ２１の測定頻度、測定時間帯、警報発生条件等の設定が変更されるとともに、メモリ２４に記憶され、次の変更までこの設定条件が保たれる。
【００３２】
図５は、図１ないし４で説明した雰囲気管理システムの動作を示す時間ダイアグラムである。
【００３３】
図２の温度測定器の温度センサ２１は、目的により相対湿度、風速、圧力、又はガス濃度のセンサに置き換えてもよい。
【００３４】
本発明による温度管理システムの他の実施形態は、管理端末１の代わりに管理端末４を用いる以外、図１のシステムと同様の構成を有する。
【００３５】
図６は、本発明による温度管理システムの他の実施形態における管理端末４の構成を示す。管理端末４は、中央演算装置（ＣＰＵ）４１、メモリ４２、入出力バス（Ｉ／Ｏ）４３、４４、４６、表示器４５、キーボード４７、及び比較回路４８を具える。入出力バス４３は表示器４５に、入出力バス４６はキーボード４７に、それぞれ接続されている。入出力バス４４は入出力端子４ａに接続されており、必要に応じて携帯端末３に接続される。
【００３６】
携帯端末３を介して管理端末４に受信された温度データは、表示器４５に表示されるとともに、メモリ４２に記憶される。メモリ４２に記憶された温度データは、あらかじめ記憶されているプログラムに基づいてＣＰＵ４１にフィードバックされ、比較回路４８に入力される。フィードバックと同時にＣＰＵ４１から入出力バス４４を介して携帯端末３に対し、温度データの再出力を要求する。再出力された温度データは、入出力バス４４及びＣＰＵ４１を介して比較回路４８に入力され、先のメモリ４２からフィードバックされた温度データと比較される。再出力データとフィードバックされたデータが一致したら、一致信号が比較回路４８から出力される。この一致信号に応じて、携帯端末３のメモリ３２に記憶された温度データを消去する命令が、ＣＰＵ４１から入出力バス４４を介して携帯端末３のＣＰＵ３１に送られ、メモリ３２に記憶されていた温度データは消去される。
【００３７】
【発明の効果】
本発明による貯蔵庫等の雰囲気管理システムは、携帯端末等の情報収集手段から測定装置に対し制御信号を発生できるように構成されているため、測定、警報発生等の設定条件を、情報収集の際同時に変更できるから、各測定装置について別途に設定条件の変更を行なう必要がなく、簡易に、手間をかけずに設定条件の変更が行なえる。
【００３８】
また、本発明による貯蔵庫等の雰囲気管理システムは、情報収集手段に収集された測定データが管理装置に受信された後には、この信号を消去するように構成されているため、情報収集手段の内蔵メモリに蓄積される情報量を常に小さく抑えることができる。従って、小さいメモリ容量でも長時間あるいは高い頻度の測定に伴う情報量の増大に対応でき、情報収集手段の大型化やコストの増大を回避できる。
【図面の簡単な説明】
【図１】  本発明による温度管理システムの説明図
【図２】  本発明による温度管理システムの、管理端末の構成を示すブロック図。
【図３】  本発明による温度管理システムの、温度測定器の構成を示すブロック図。
【図４】  本発明による温度管理システムの、携帯端末の構成を示すブロック図。
【図５】  本発明による温度管理システムの動作を示す説明図
【図６】  本発明による温度管理システムの他の実施形態における、管理端末の構成を示すブロック図。
【図７】  従来の温度管理システムの説明図
【図８】  従来の温度管理システムの、温度測定器の構成を示すブロック図
【図９】  従来の温度管理システムの、携帯端末の構成を示すブロック図
【図１０】  従来の温度管理システムの、管理端末の構成を示すブロック図
【符号の説明】
１，管理端末  １ａ，入出力端子  ２，温度測定器  ２ｂ，温度信号出力端子
３，携帯端末  ３ａ，温度信号入力端子  ３ｂ，温度信号出力端子
４，管理端末  ４ａ，入出力端子  １１，中央演算装置（ＣＰＵ）
１２，メモリ  １３，入出力バス（Ｉ／Ｏ）  １４，入出力バス（Ｉ／Ｏ）
１５，表示器  １６，入出力バス（Ｉ／Ｏ）  １７，キーボード
２１，温度センサ  ２２，Ａ／Ｄ変換器  ２３，制御部  ２４，メモリ
２６，電源  ３１，中央演算装置（ＣＰＵ）  ３２，メモリ
３３，３４，入出力バス（Ｉ／Ｏ）  ３６，３８，入出力バス（Ｉ／Ｏ）
３５，表示器  ３７，キーボード  ４１，中央演算装置（ＣＰＵ）
４２，メモリ  ４３，入出力バス（Ｉ／Ｏ）
４４，４６，入出力バス（Ｉ／Ｏ）  ４５，表示器、  ４７，キーボード
４８，比較回路  ６１，管理端末  ６１ａ，入力端子  ６２，温度測定器
６２ｂ，出力端子  ６３，携帯端末  ６３ａ，入力端子  ６３ｂ，出力端子
７１，温度センサ  ７２，Ａ／Ｄ変換器  ７３，制御部  ７４，キーボード
７５，メモリ  ７６，電源  ８１，中央演算装置（ＣＰＵ）
８２，メモリ  ８３，入出力バス（Ｉ／Ｏ）  ８４，入出力バス（Ｉ／Ｏ）
８５，表示器  ８６，入出力バス（Ｉ／Ｏ）  ８７，キーボード
８８，入出力バス（Ｉ／Ｏ）  Ｓ１，冷蔵ショーケース
Ｓ２，チェスト型冷凍ストッカー  Ｓ３，ウォークイン冷蔵庫
Ｓ４，棚式冷蔵庫
【図１】
0004111720.tif 000002
【図２】
0004111720.tif 000003
【図３】
0004111720.tif 000004
【図４】
0004111720.tif 000005
【図５】
0004111720.tif 000006
【図６】
0004111720.tif 000007
【図７】
0004111720.tif 000008
【図８】
0004111720.tif 000009
【図９】
0004111720.tif 000010
【図１０】
0004111720.tif 000011